(57)【要約】【課題】扉の開き角度の変更を低コストで行うためのドアクローザを提供する。【解決手段】  本発明のドアクローザ１は、扉６に固定されるクローザ本体２と、扉枠７とクローザ本体２とに各々枢着されて第１リンク機構３０を構成する一対の第１アーム３と、一対の第１アーム３に各々枢着されて第２リンク機構４０を構成する一対の第２アーム４と、を備え、一対の第２アーム４は、扉６を閉鎖した場合に一対の第１アーム３とは逆方向に折り畳まれ、扉６を開放した場合に同一直線上に並ぶことによって一対の第１アーム３の間に架け渡されて扉枠７に対する扉６の開き角度を保持する。【選択図】図４
2015183445.tif 000002
【特許請求の範囲】
【請求項１】
扉および扉枠のいずれか一方の部材に固定されるクローザ本体と、
前記扉および前記扉枠のいずれか他方の部材と前記クローザ本体とに各々枢着されて第１リンク機構を構成する一対の第１アームと、
前記一対の第１アームに各々枢着されて第２リンク機構を構成する一対の第２アームと、を備え、
前記一対の第２アームは、
前記扉を閉鎖した場合に前記一対の第１アームとは逆方向に折り畳まれ、
前記扉を開放した場合に同一直線上に並ぶことによって前記一対の第１アームの間に架け渡されて前記扉枠に対する前記扉の開き角度を保持することを特徴とするドアクローザ。
【請求項２】
前記一対の第２アーム同士の連結部分には、前記一対の第２アームを折り畳む方向に付勢する付勢部材が介設されていることを特徴とする請求項１に記載のドアクローザ。
【請求項３】
前記一対の第２アームは、前記一対の第１アームに対して着脱自在に設けられていることを特徴とする請求項１または２に記載のドアクローザ。
【請求項４】
前記一対の第２アームを前記一対の第１アームに取り付けた場合、前記扉の開き角度は、９０度になり、前記一対の第２アームを前記一対の第１アームから取り外した場合、前記扉の開き角度は、９０度よりも大きくなることを特徴とする請求項３に記載のドアクローザ。
【発明の詳細な説明】
【技術分野】
【０００１】
本発明は、開放された扉を自動的に閉めると共に扉の開き角度を保持するドアクローザに関する。
【背景技術】
【０００２】
従来から、開放された扉を自動的に閉めるためのドアクローザにおいて、扉の開き角度（扉枠と扉とが成す角度）を保持するストップ機能を備えたドアクローザが知られている。
【０００３】
例えば、特許文献１には、扉に固定されたドアクローザ本体と、ドアクローザ本体と扉の枠部とに枢着されたフォークアームおよびリンク（一対のアーム）と、リンクと枠部との連結部に設けられたボールストップ装置と、枠部に固定されたスライドレールと、スライドレール内を移動するスライド片に一端部を枢着されたストップバーと、を備えたドアクローザが開示されている。ストップバーの他端部は、一対のアーム同士の連結部に枢着されている。このドアクローザでは、ボールストップ装置によって扉が設定された開き角度に保持される。また、スライドレールの止め具によってスライド片の移動が規制され、扉が設定された開き角度以上に開くことが防止される。
【先行技術文献】
【特許文献】
【０００４】
【特許文献１】特開２０１１−１９６１６２号公報
【発明の概要】
【発明が解決しようとする課題】
【０００５】
ところで、一般的に、扉の開き角度は、ドアクローザの各アームの長さを変更することによって設定される。通常、開き角度を大きくするに従って一対のアームの長さは長くなる。例えば、長さ調整機構を備えたアームを用いて開き角度を調整することも考えられるが、調整可能な長さを超える場合も多く、開き角度の調整範囲が限定的であった。このため、従来から、設定する開き角度に応じて各アームの長さが変更されていた。
【０００６】
例えば、扉の開き角度を９０度および１８０度に設定した場合、特許文献１に係るドアクローザは、各アームやストップバーを設定角度に応じた長さに製造しなければならず、設計変更や製造に係るコストの増加という問題を有していた。また、スライドレールの取り付け位置も変更しなければならず、取付作業に係る時間やコストの増加という問題もあった。
【０００７】
本発明は、上記した課題を解決すべくなされたものであり、扉の開き角度の変更を低コストで行うためのドアクローザを提供することを目的とする。
【課題を解決するための手段】
【０００８】
上記した目的を達成するため、本発明のドアクローザは、扉および扉枠のいずれか一方の部材に固定されるクローザ本体と、前記扉および前記扉枠のいずれか他方の部材と前記クローザ本体とに各々枢着されて第１リンク機構を構成する一対の第１アームと、前記一対の第１アームに各々枢着されて第２リンク機構を構成する一対の第２アームと、を備え、前記一対の第２アームは、前記扉を閉鎖した場合に前記一対の第１アームとは逆方向に折り畳まれ、前記扉を開放した場合に同一直線上に並ぶことによって前記一対の第１アームの間に架け渡されて前記扉枠に対する前記扉の開き角度を保持することを特徴とする。
【０００９】
この構成によれば、一対の第２アームを設けることによって、扉は、一対の第１アームで設定された開き角度よりも小さな開き角度に保持される。例えば、一対の第１アームによって第１の開き角度に設定された既存のドアクローザに対し、一対の第２アームを追加することで、第１の開き角度とは異なる第２の開き角度を設定することができる。これにより、扉の開き角度の変更に伴う各第１アームの設計変更を不要とし、部品の共通化によって低コスト化を図ることができる。
【００１０】
この場合、前記一対の第２アーム同士の連結部分には、前記一対の第２アームを折り畳む方向に付勢する付勢部材が介設されていることが好ましい。
【００１１】
この構成によれば、付勢部材は、一対の第２アームを付勢して開き角度を保持された状態を解除する。これにより、開放された扉を適切に閉鎖することができる。
【００１２】
この場合、前記一対の第２アームは、前記一対の第１アームに対して着脱自在に設けられていることが好ましい。
【００１３】
また、この場合、前記一対の第２アームを前記一対の第１アームに取り付けた場合、前記扉の開き角度は、９０度になり、前記一対の第２アームを前記一対の第１アームから取り外した場合、前記扉の開き角度は、９０度よりも大きくなることが好ましい。
【００１４】
これらの構成によれば、各第１アームに対して各第２アームを着脱するという簡単な工程によって、２通りの開き角度を設定することができる。これにより、ドアクローザの取り付け現場の状況に柔軟に対応することができる。
【発明の効果】
【００１５】
本発明によれば、扉の開き角度の変更を低コストで簡単に行うことができる。
【図面の簡単な説明】
【００１６】
【図１】本発明の一実施形態に係るドアクローザを示す斜視図である。
【図２】本発明の一実施形態に係るドアクローザのクローザ本体の内部構造を模式的に示す断面図である。
【図３】本発明の一実施形態に係るドアクローザを模式的に示す平面図であって、扉を閉鎖した状態を示している。
【図４】本発明の一実施形態に係るドアクローザを模式的に示す平面図であって、扉を開放（開き角度９０度）した状態を示している。
【図５】本発明の一実施形態に係るドアクローザの一対の第２アームを取り外した状態を模式的に示す平面図であって、扉を開放（開き角度１８０度）した状態を示している。
【発明を実施するための形態】
【００１７】
以下、本発明の実施の形態について、添付した図面を参照しながら説明する。
【００１８】
図１ないし図５を参照して、一実施形態に係るドアクローザ１について説明する。ここで、図１はドアクローザ１を示す斜視図である。図２はドアクローザ１のクローザ本体２の内部構造を模式的に示す断面図である。図３はドアクローザ１を模式的に示す平面図であって、扉６を閉鎖した状態を示している。図４はドアクローザ１を模式的に示す平面図であって、扉６を開放（開き角度９０度）した状態を示している。図５はドアクローザ１の一対の第２アーム４を取り外した状態を模式的に示す平面図であって、扉６を開放（開き角度１８０度）した状態を示している。なお、本実施形態の説明では、便宜上、各図に示すように方向を設定している。
【００１９】
ドアクローザ１は、ヒンジ７ａ（図３参照）を介して扉枠７に開閉可能に支持される扉６を自動的に閉めると共に扉６の開き角度を保持するために取り付けられている。
【００２０】
図１に示すように、ドアクローザ１は、クローザ本体２と、一対の第１アーム３と、一対の第２アーム４と、を備えている。クローザ本体２は、扉６の一方の壁面上部に本体ブラケット（図示せず）を介して固定されている。一対の第１アーム３は、扉枠７とクローザ本体２とに各々枢着されて第１リンク機構３０を構成している。一対の第２アーム４は、一対の第１アーム３に各々枢着されて第２リンク機構４０を構成している。
【００２１】
図２に示すように、クローザ本体２は、略直方体状に形成されるカバー２０と、シリンダ２１と、ラック部材２２と、回転作用軸２３と、を含んで構成されている。
【００２２】
シリンダ２１は、例えば、アルミニウム合金等を鋳造加工することによって形成されている。シリンダ２１は、略円筒状に形成され、カバー２０によって覆われている。シリンダ２１は、内部に充填された作動油が通過する複数のオリフィス２１ａを有している。
【００２３】
ラック部材２２は、略ピストン状に形成され、シリンダ２１の内部で長手方向（図２で左右方向）に移動可能に設けられている。ラック部材２２は、シリンダ２１内に設けられる圧縮コイルバネ２４によって平常位置に向けて（図２で右方向）付勢されている。ラック部材２２の内側には、ラック２２ａが設けられている。
【００２４】
回転作用軸２３は、シリンダ２１を上下方向に貫通するように垂直姿勢で設けられている。回転作用軸２３は、軸周りに回動可能にシリンダ２１に支持されている。回転作用軸２３の上端部（または上下両端部）は、カバー２０の外部に突出している。回転作用軸２３は、ラック２２ａに噛み合うピニオン２３ａを有している。
【００２５】
本実施形態では、例えば、扉６を開く場合、各アーム３，４を介して、回転作用軸２３は、図２で時計回りに回動する。ラック部材２２は、ピニオン２３ａの回動によって圧縮コイルバネ２４の付勢力に抗して図２で左方向に移動する。一方、扉６を閉じる場合、各アーム３，４を介して、回転作用軸２３は、図２で反時計回りに回動する。ラック部材２２は、ピニオン２３ａの回動および圧縮コイルバネ２４の押圧力によって図２で右方向に移動する。
【００２６】
扉６を開閉する際、ラック部材２２がシリンダ２１内を移動するため、作動油もシリンダ２１内を流動する。各オリフィス２１ａを通過する作動油は、粘性抵抗を発生させるため、ラック部材２２の移動に一定の負荷を与える。つまり、ラック部材２２の移動が緩衝される。これにより、例えば、強風にあおられた扉が急激に開くことを防止することができる（以下、バックチェック機能と呼ぶ。）。また、例えば、扉を開けた状態から扉をゆっくりと閉めることができる（以下、ディレードアクション機能と呼ぶ。）。
【００２７】
図３および図４に示すように、一対の第１アーム３は、メインアーム３１と、アジャストアーム３２と、によって構成されている。
【００２８】
メインアーム３１の一端部は、クローザ本体２の回転作用軸２３の上端部に枢着されている。メインアーム３１の他端部の上面には、主回動軸部３１ａが突設されている。メインアーム３１の長手方向中間部の上面には、第１回動軸部３１ｂが突設されている。
【００２９】
アジャストアーム３２の一端部は、扉枠７に固定されるアームブラケット３３の係合突起部３３ａに枢着されている。アジャストアーム３２の一端部には、扉６の開き角度を保持するためのカム式のストップ装置３４が内蔵されている（図１参照）。図示は省略するが、ストップ装置３４は、例えば、押圧バネで付勢したストップ部材をカムの凹部に押し込むことによって、扉６の回動を規制するように構成されている。
【００３０】
アジャストアーム３２の他端部には、主軸孔部３２ａが貫通形成されている。アジャストアーム３２の主軸孔部３２ａは、上方からメインアーム３１の主回動軸部３１ａに嵌合する。これにより、アジャストアーム３２の他端部は、メインアーム３１の他端部の上側で回動自在に支持される。
【００３１】
また、アジャストアーム３２は、メインアーム３１に連結される回転アーム部３５と、アームブラケット３３に連結されるアーム支持部３６と、によって構成されている。回転アーム部３５は、アーム支持部３６の他端側に凹設される雌ネジ部３６ａに螺合する雄ネジ部３５ａを有している（図１参照）。回転アーム部３５に対してアーム支持部３６を回転させて螺合範囲を変更することによって、アジャストアーム３２は長手方向に伸縮する。これにより、アジャストアーム３２の長さが調整される。アーム支持部３６の他端側の上面には、第２回動軸部３６ｂが突設されている。なお、アジャストアーム３２の長さ調整方法は、ネジ式に限らず、例えば、スライド式でもよい。
【００３２】
一対の第２アーム４は、メインアーム３１に枢着される第１ストップアーム４１と、アジャストアーム３２に枢着される第２ストップアーム４２と、によって構成されている。各ストップアーム４１，４２は、略同一の形状、長さに形成されている。
【００３３】
第１ストップアーム４１の一端部には、第１軸孔部４１ａが貫通形成されている。第１ストップアーム４１の第１軸孔部４１ａは、上方からメインアーム３１の第１回動軸部３１ｂに嵌合する。これにより、第１ストップアーム４１は、メインアーム３１に回動自在に支持される。また、第１ストップアーム４１の他端部には、副回動軸部４１ｂが突設されている。
【００３４】
第２ストップアーム４２の一端部には、第２軸孔部４２ａが貫通形成されている。第２ストップアーム４２の第２軸孔部４２ａは、上方からアーム支持部３６の第２回動軸部３６ｂに嵌合する。これにより、第２ストップアーム４２は、アーム支持部３６（アジャストアーム３２）に回動自在に支持される。
【００３５】
第２ストップアーム４２の他端部には、副軸孔部４２ｂが貫通形成されている。第２ストップアーム４２の副軸孔部４２ｂは、第１ストップアーム４１の副回動軸部４１ｂに上方から嵌合する。これにより、第２ストップアーム４２の他端部は、第１ストップアーム４１の他端部の上側で回動自在に支持される。
【００３６】
一対の第２アーム４同士の連結部分には、一対の第２アーム４を折り畳む方向（図３および図４の破線矢印参照）に付勢する付勢部材としての捩りコイルバネ４３が介設されている。捩りコイルバネ４３は、第２ストップアーム４２の副回動軸部４１ｂに巻回されている。捩りコイルバネ４３の一方の腕部は、第１ストップアーム４１に係合し、捩りコイルバネ４３の他方の腕部は、第２ストップアーム４２に係合している。
【００３７】
なお、詳細な説明は省略するが、一対の第１アーム３および一対の第２アーム４の連結部分は、それぞれ、適切なリンク機構３０，４０を構成可能な手段（方法）で接続されている。例えば、各アーム３，４の連結部分は、ネジによる接続でもよいし、嵌め合いによる接続でもよい。
【００３８】
ところで、扉６の開き角度は、主に、一対の第１アーム３の長さによって設定される。一般的に、扉６の開き角度を大きくするに従って一対の第１アーム３は長くなるため、一対の第１アーム３は、開き角度毎に異なる長さに形成しなければならない。そこで、本実施形態に係るドアクローザ１は、一対の第１アーム３の長さを変更することなく、扉６の開き角度の変更に対応可能な構成を備えている。具体的には、本実施形態に係るドアクローザ１は、上記した一対の第２アーム４を追加することによって、扉６の開き角度の変更することができる。
【００３９】
上記した一対の第２アーム４（各ストップアーム４１，４２）は、一対の第１アーム３（メインアーム３１，アジャストアーム３２）に対して着脱自在に設けられている。本実施形態に係るドアクローザ１は、例えば、各第１アーム３の長さを以下のように設定している。図４に示すように、一対の第２アーム４を一対の第１アーム３に取り付けた場合、扉６の開き角度は９０度になる。一方、図５に示すように、一対の第２アーム４を一対の第１アーム３から取り外した場合、扉６の開き角度は９０度よりも大きくなる。具体的には、扉６の開き角度は１８０度になる。
【００４０】
次に、図３および図４を参照して、本実施形態に係るドアクローザ１の作用について説明する。以下の説明では、第２アーム４（各ストップアーム４１，４２）が取り付けられた状態であるものとする。
【００４１】
まず、閉鎖された扉６を開放する場合について説明する。図３に示すように、一対の第２アーム４は、扉６を閉鎖した場合に一対の第１アーム３とは逆方向に折り畳まれている。すなわち、一対の第１アーム３同士の連結部分（３１ａ，３２ａ）と一対の第２アーム４同士の連結部分（４１ｂ，４２ｂ）とは、互いに離れて配置されている。
【００４２】
この状態から、ユーザが扉６を開放動作させると、一対の第１アーム３同士の連結部分（３１ａ，３２ａ）は左方向に移動し、一対の第２アーム４同士の連結部分（４１ｂ，４２ｂ）は右方向に移動する（図４参照）。すなわち、第１リンク機構３０と第２リンク機構４０とは、互いに扉６の開放動作に連動し、互いの連結部分が近づく方向に移動する。詳細には、シリンダ２１内の作動油の粘性抵抗力および捩りコイルバネ４３の付勢力に抗して、メインアーム３１とアジャストアーム３２との成す角度が広がると共に第１ストップアーム４１と第２ストップアーム４２との成す角度が広がる。
【００４３】
図４に示すように、扉６の開き角度が略９０度になると、第１ストップアーム４１と第２ストップアーム４２との成す角度が１８０度になる。つまり、一対の第２アーム４は、扉６を開放した場合に同一直線上に並ぶ。これにより、一対の第２アーム４は、一対の第１アーム３の間に架け渡されて扉枠７に対する扉６の開き角度を保持する。また、一対の第２アーム４は、扉６が９０度を超えて開くことを防止する。なお、上記したストップ装置３４も扉６の開き角度の保持に寄与している。
【００４４】
次に、開放された扉６を閉鎖する場合について説明する。ユーザが扉６を閉鎖動作させると、捩りコイルバネ４３は、一対の第２アーム４を付勢して開き角度を保持された状態を解除する。すなわち、一対の第２アーム４は、捩りコイルバネ４３の付勢力によって折り畳まれるように回動すると共に、ストップ装置３４のストップ部材とカムとの係合を解除する。
【００４５】
扉６の閉鎖が進むに従って、一対の第１アーム３同士の連結部分（３１ａ，３２ａ）と一対の第２アーム４同士の連結部分（４１ｂ，４２ｂ）とは、互いに離れる方向に移動する（図３参照）。詳細には、シリンダ２１内の作動油の粘性抵抗力に抗して、メインアーム３１とアジャストアーム３２との成す角度が狭くなると共に第１ストップアーム４１と第２ストップアーム４２との成す角度が狭くなる。これにより、図３に示すように、開放された扉が適切に閉鎖される（開き角度が略０度）。
【００４６】
なお、上記した扉６の開閉動作中において、シリンダ２１内の作動油の粘性抵抗力は、各アーム３，４を介して扉６に伝達され、バックチェック機能およびディレードアクション機能が発揮される。
【００４７】
以上説明した本実施形態に係るドアクローザ１によれば、一対の第２アーム４を設けることによって、扉６は、一対の第１アーム３で設定された開き角度よりも小さな開き角度に保持される。例えば、一対の第１アーム３によって第１の開き角度（本実施形態では１８０度）に設定された既存のドアクローザ１に対し、一対の第２アーム４を追加することで、第１の開き角度とは異なる第２の開き角度（本実施形態では９０度）を設定することができる。これにより、扉６の開き角度の変更に伴う各第１アーム３の設計変更を不要とし、部品の共通化によって低コスト化を図ることができる。なお、第１の開き角度および第２の開き角度は、好ましくは１８０度および９０度であるが、これに限定されるものではない。第１の開き角度および第２の開き角度は、任意の角度に設定してもよく、例えば、第１の開き角度を９０度±数十度に設定し、第２の開き角度を１８０度±数十度に設定してもよい。この場合、開き角度に応じて各アーム３，４の長さを設定する。
【００４８】
また、本実施形態に係るドアクローザ１によれば、各第１アーム３に対して各第２アーム４を着脱するという簡単な工程によって、２通りの開き角度を設定することができる。これにより、ドアクローザ１の取り付け現場の状況に柔軟に対応することができる。
【００４９】
なお、クローザ本体２において、シリンダ２１内の作動油の粘性抵抗力は、シリンダ２１の容量（作動油の量）やオリフィス２１ａの大きさや数等によって変化する。この作動油の粘性抵抗力は、扉の大きさや重さ、扉６の開き角度に応じて適宜設定される。このため、クローザ本体２は、一対の第１アーム３の長さ（扉６の開き角度）に応じて専用に設計される。この点、本実施形態に係るドアクローザ１によれば、一対の第１アーム３の長さに対応したクローザ本体２をそのまま使用して、一対の第２アーム４を追加するだけで、扉６の開き角度を変更することができる。また、一対の第２アーム４を追加した場合であっても、適切なバックチェック機能やディレードアクション機能を発揮することができる。これにより、クローザ本体２の設計変更を不要とし、低コスト化を図ることができる。
【００５０】
なお、本実施形態に係るドアクローザ１は、扉６にクローザ本体２を固定し、扉枠７にアームブラケット３３を固定したが、本発明はこれに限定されない。例えば、本実施形態とは反対に、扉枠７にクローザ本体２を固定し、扉６にアームブラケット３３を固定してもよい。
【００５１】
なお、一対の第１アーム３や一対の第２アーム４等の連結部分において、各回動軸部３１ａ等と各軸孔部４１ａ等との凹凸関係は反対であってもよい。なお、アジャストアーム３２と同様に、一対の第２アーム４のうち少なくとも一方を長手方向に伸縮可能な構成としてもよい。
【００５２】
なお、上記した本発明の実施形態の説明は、本発明に係るドアクローザにおける好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００５３】
１  ドアクローザ
２  クローザ本体
３  第１アーム
４  第２アーム
６  扉
７  扉枠
３０  第１リンク機構
４０  第２リンク機構
４３  捩りコイルバネ（付勢部材）
【図１】
2015183445.tif 000003
【図２】
2015183445.tif 000004
【図３】
2015183445.tif 000005
【図４】
2015183445.tif 000006
【図５】
2015183445.tif 000007